(57)【要約】【課題】  天然歯と修復歯とを区別して正しく認識すること。【解決手段】  被験者の口を覆うマウスピース１と、励起光を歯に照射する発光部２１と、励起光が歯に照射されたときにその歯から発せられる蛍光をマウスピース１に覆われた口腔内で受光する受光部２２とを備える修復歯の識別装置を採用する。【選択図】  図１
2005118420.tif 000002
【特許請求の範囲】
【請求項１】
被験者の口を覆う口用被覆部材と、
励起光を歯に照射する発光部と、
前記励起光が歯に照射されたときにその歯から発せられる蛍光を前記口用被覆部材に覆われた口腔内で受光する受光部と、
前記受光部に受光された蛍光を映像化する映像化処理部と、
前記映像化処理部において処理された映像を表示する表示部とを備える修復歯の識別装置。
【請求項２】
前記口用被覆部材が、歯から発せられる蛍光の少なくとも一部を透過させず、所定の長さ以下の波長の光を透過させる請求項１記載の修復歯の識別装置。
【請求項３】
前記発光部がおよび前記受光部が前記口用被覆部材に固定され、前記発行部から発せられる励起光を被験者の複数の歯に同時に照射し、これら複数の歯から発せられる蛍光を前記受光部で同時に受光することを特徴とする請求項１または２記載の修復歯の識別装置。
【請求項４】
前記受光部が、歯の並び方向に沿って移動可能である請求項１から３のいずれか一項記載の修復歯の識別装置。
【請求項５】
前記口用被覆部材に、歯の並びに準じる目盛りが設けられている請求項４記載の修復歯の識別装置。
【請求項６】
前記口用被覆部材のうち、少なくとも口腔に入る部分が分離可能である請求項１から５のいずれか一項記載の修復歯の識別装置。
【請求項７】
被験者の口腔内で歯を覆う歯用被覆部材と、
前記歯用被覆部材に設けられた柄と、
励起光を歯に照射する発光部と、
前記励起光が歯に照射されたときにその歯から発せられる蛍光を前記歯用被覆部材の内側で受光する受光部と、
前記受光部に受光された蛍光を映像化する映像化処理部と、
前記映像化処理部において処理された映像を表示する表示部とを備える修復歯の識別装置。
【発明の詳細な説明】
【技術分野】
【０００１】
本発明は、生体の一部である天然歯と、レジンや陶材等の修復材料を使って修復された修復歯とを区別して認識する修復歯の識別装置に関する。
【背景技術】
【０００２】
近年、審美歯科医療の分野では、レジンや陶材等、修復後の質感が天然歯と似通った修復材料が多く普及したことにより、一見しただけでは天然歯と見分けがつかないほどに修復歯の審美性が向上している。
【特許文献１】特開平８−８９４７８号公報（図１等）
【特許文献２】特開２００２−３６９８３３号公報
【０００３】
上記特許文献１には、歯、歯肉、顎骨、舌、頬等に光を当て、光が透過した歯の映像をカメラで捕らえてその映像から口腔組織を観察する装置について記載されている。
【発明の開示】
【発明が解決しようとする課題】
【０００４】
修復歯の審美性が向上したことによる弊害も指摘されている。天然歯と修復歯との見分けがつき難いために、歯科検診等で修復歯を誤って天然歯と診断してしまうのである。修復歯はあくまでも修復歯であって、生体の一部である天然歯とは区別して認識しておかなければ正しい検診が行われたことにならないので、注意が必要である。
【０００５】
本発明は上記の事情に鑑みてなされたものであり、天然歯と修復歯とを区別して正しく認識することが可能な修復歯の識別装置を提供することを目的としている。
【課題を解決するための手段】
【０００６】
上記の課題を解決するための手段として、次のような構成の修復歯の識別装置を採用する。
すなわち本発明の修復歯の識別装置は、被験者の口を覆う口用被覆部材と、励起光を歯に照射する発光部と、前記励起光が歯に照射されたときにその歯から発せられる蛍光を前記口用被覆部材に覆われた口腔内で受光する受光部と、前記受光部に受光された蛍光を映像化する映像化処理部と、前記映像化処理部において処理された映像を表示する表示部とを備える。
【０００７】
所定の長さの波長の励起光を照射すると、天然歯の歯質と修復材料とで異なった蛍光スペクトルの蛍光を発する。例えば、修復材料として使用されるレジンと天然歯とを比較すると、波長；４００ｎｍ（ナノメートル）の励起光を照射した場合、レジンの発する蛍光の発光強度が天然歯よりも著しく低いことが知られている。また、同じく修復材料として使用されるポーセレンと天然歯とを比較すると、波長；４００ｎｍ（ナノメートル）の励起光を照射した場合、ポーセレンの発する蛍光の発光強度が天然歯よりも非常に高いことが知られている。そこで、歯に励起光を照射し、所定の波長域の蛍光のみを受光して映像化すれば、天然歯の部分と修復歯とでコントラストが生じ、励起光を照射された歯が修復歯であるか否か、修復されている部分がどこであるかがわかる。
【０００８】
本発明は、このような知見に基づき、被験者の口全体を口用被覆部材で覆った状態で、検査対象の歯に所定の長さの波長の励起光を照射し、その光によって励起される蛍光を受光し、受光された蛍光を映像化して表示部に表示させ、表示された映像を基に、修復歯がどのような状態にあるか、どのような修復がなされているのかを、目視にて確認することができる。
このとき、口用被覆部材が被験者の口全体を覆い、口腔内部に外部から光がほとんど届かない状態となっているので、歯の発した蛍光の発光強度が微弱であってもノイズ（外部からの光）に邪魔されず、受光部に受光されやすくなる。これにより、検査対象の歯が修復歯であるか否か、あるいは修復部分を含んでいるか否かを判別する際の確度が高まる。
【０００９】
本発明においては、口用被覆部材が、歯から発せられる蛍光の少なくとも一部を透過させず、所定の長さ以下の波長の光を透過させることが好ましい。被験者の口は口用被覆部材ですべて覆われてしまうので、蛍光の受光に影響を与えない波長帯の光を、口用被覆部材を透過して外部から確認できるようにすれば、判別の対象となっている歯の特定が可能になる。
【００１０】
本発明においては、発光部がおよび受光部を前記口用被覆部材に固定し、発行部から発せられる励起光を被験者の複数の歯に同時に照射し、これら複数の歯から発せられる蛍光を受光部で同時に受光することが好ましい。これにより、一度に複数の歯を観察できるようになり、検査の効率化が図れる。
【００１１】
本発明においては、受光部を歯の並び方向に沿って移動させることが好ましい。歯は上顎、下顎とも馬蹄形をなして並んでいるので、その並び方向に受光部を移動させるようにすれば、すべての歯を等しく受光の対象として捉えることが可能になる。
さらに、口用被覆部材には、歯の並びに準じる目盛りが設けられていることが好ましい。このような目盛りがあれば、判別対象の歯の特定がさらに行い易くなる。
【００１２】
本発明においては、口用被覆部材のうち、少なくとも口腔に入る部分を分離可能とすることが好ましい。被験者の口に接する口用被覆部材を、複数の被験者で使い回すのは衛生的ではないが、その部分を被験者がかわるごとに清潔なものと交換すれば、衛生面でなんら問題は生じなくなる。
【００１３】
上記の課題を解決するためのもうひとつの手段として、次のような構成の修復歯の識別装置を採用する。
すなわち本発明の修復歯の識別装置は、被験者の口腔内で歯を覆う歯用被覆部材と、前記歯用被覆部材に設けられた柄と、励起光を歯に照射する発光部と、前記励起光が歯に照射されたときにその歯から発せられる蛍光を前記歯用被覆部材内側で受光する受光部と、前記受光部に受光された蛍光を映像化する映像化処理部と、前記映像化処理部において処理された映像を表示する表示部とを備える。
【００１４】
本発明においては、術者が柄の部分を持って検査対象の歯に歯用被覆部材を被せ、検査対象の歯に所定の長さの波長の励起光を照射し、その光によって励起される蛍光を受光し、受光された蛍光を映像化して表示部に表示させ、表示された映像を基に、修復歯がどのような状態にあるか、どのような修復がなされているのかを、目視にて確認することができる。
このとき、歯用被覆部材が被験者の口腔内で歯を覆い、その内側に外部から光がほとんど届かない状態となっているので、歯の発した蛍光の発光強度が微弱であってもノイズに邪魔されず、受光部に受光されやすくなる。これにより、天然歯か修復歯かを判別する際の確度が高まる。
【発明の効果】
【００１５】
本発明によれば、口用被覆部材が被験者の口全体を覆い、口腔内部に外部から光がほとんど届かない状態となっているので、発光強度が微弱であってもノイズに邪魔されず、蛍光が受光部に受光されやすくなる。
本発明によれば、歯用被覆部材が被験者の口腔内で歯を覆い、その内側に外部から光がほとんど届かない状態となっているので、発光強度が微弱であってもノイズに邪魔されず、蛍光が受光部に受光されやすくなる。
これにより、検査対象の歯が修復歯であるか否か、あるいは修復部分を含んでいるか否かを判別する際の確度が高まるので、天然歯と修復歯とを区別して正しく認識することが可能になる。
【発明を実施するための最良の形態】
【００１６】
［第１の実施形態］
本発明の第１の実施形態を図１に示して説明する。
本実施形態の修復歯の識別装置は、被験者の口を覆うマウスピース（口用被覆部材）１と、歯に向けて励起光を照射しその歯から発せられる蛍光を受光する蛍光撮像ユニット２と、蛍光を受光した撮像素子（後述するＣＣＤ）が出力した電気信号を処理して映像化する識別装置本体３と、映像を表示するモニタ４とを備えている。蛍光撮像ユニット２と識別装置本体３とは、光ファイバ製のライトガイド５および信号ケーブル６を束ねた集合ケーブル７を介して接続されており、識別装置本体３とモニタ４とは、信号ケーブル８を介して接続されている。
【００１７】
マウスピース１は、口角を左右に押し広げるようにして口腔に挿入される筒状の挿入部１１と、挿入部１１を挿入された口の周囲に接して口を覆い隠すカバー部１２とを備えている。カバー部１２の内側には、挿入部１１に連通する空間１３が形成されており、この空間１３に、蛍光撮像ユニット２が配置されている。挿入部１１は、必要に応じてカバー部１２から分離することが可能である。
【００１８】
蛍光撮像ユニット２は、励起光を歯に照射する発光部２１と、励起光が歯に照射されたときにその歯から発せられる蛍光をマウスピース１に覆われた口腔内で受光する受光部２２とを備えている。発光部２１および受光部２２は、唾液や吐息が入り込まないように密閉された樹脂製の小さな筐体２３の中に収容され、空間１３内において前歯に正対するようにマウスピース１に固定されている。
【００１９】
発光部２１は、ライトガイド５を通じて後述する光源３１から導かれた励起光を拡散させるレンズ２１ａと、レンズ２１ａによって拡散された励起光を透過するフィルタ２１ｂとを備えている。発光部２１から照射される励起光は、被験者のすべての歯に一度に照射されるようになっている。フィルタ２１ｂは筐体２３の一部を構成している。受光部２２は、励起光をカットし所定の長さ以上の波長の蛍光を透過するフィルタ２２ａと、フィルタ２２ａを透過した蛍光を集束させるレンズ２２ｂと、レンズ２２ｂによって集束された蛍光を検出しその発光強度に応じた電気信号を出力するＣＣＤ２２ｃとを備えている。発光部２１と同様に、フィルタ２２ａは筐体２３の一部を構成している。ＣＣＤ２２ｃが出力した電気信号は、信号ケーブル６を介して識別装置本体３に伝達されるようになっている。
【００２０】
筐体２３に繋がる集合ケーブル７の一端は、マウスピース１の外面に固定されており、付け根の部分には空間１３に外部の光が差し込まないようにゴム製のブッシュ７ａが取り付けられている。
【００２１】
識別装置本体３は、所定の長さの波長の励起光を発する光源３１と、光源３１が発した励起光を集束させるレンズ３２とを備えている。また、識別装置本体３は、ＣＣＤ２２ｃが出力した電気信号を処理して映像化しモニタ４に表示させる映像化処理部３３を備えている。
【００２２】
上記のように構成された識別装置は次のようにして使用される。
まず、マウスピース１の挿入部１１を、被験者の口角を左右に押し広げるようにして口腔に挿入し、カバー部１２を唇の上下に突き当てるようにしたうえで、被験者に挿入部１１を銜えさせる。
【００２３】
上記のようにして検査を行う準備が整ったら、光源３１を駆動させる。光源３１が駆動すると、所定の長さの波長の励起光がライトガイド５を通じて発光部２１に導かれ、被験者のすべての歯に向けて照射される。
被験者の歯のうち、修復歯に励起光が照射されると、その歯から発せられる蛍光を、所定の波長域の光を透過するフィルタ２２ａを透過して受光部２２が受光する。受光部２２では、ＣＣＤ２２ｃが受光された蛍光の発光強度に応じた電気信号を出力する。ＣＣＤ２２ｃが出力した電気信号は信号ケーブル６を介して映像化処理部３３に伝達される。映像化処理部３３では、ＣＣＤ２２ｃが出力した電気信号が処理され、被験者のすべての歯がモニタ４に映像として表示される。術者は、モニタ４に表示された映像から、被験者の歯がどのような修復状態にあるかを確認する。
【００２４】
上記のように構成された識別装置によれば、マウスピース１が被験者の口全体を覆い、口腔内部に外部から光がほとんど届かない状態となっているので、発光強度が微弱であってもノイズ（外部からの光）に邪魔されない。これにより、モニタ４に表示される映像がより明確になり、天然歯か修復歯かを判別する際の確度が高まる。
【００２５】
また、励起光を被験者のすべての歯に照射することにより、一度の検査で複数本の歯を観察でき、効率よく検査を実施することができる。
【００２６】
マウスピース１のうち、口角を左右に押し広げるようにして口腔に挿入される筒状の挿入部１１を交換可能とし、その挿入部１１を被験者がかわるごとに清潔なものと交換すれば、検査を衛生的に実施することができる。
【００２７】
［第２の実施形態］
本発明の第２の実施形態を図２および図３に示して説明する。なお、上記第１の実施形態において既に説明した構成要素には同一符号を付して説明は省略する。
本実施形態の修復歯の識別装置は、発光部２１および受光部２２を収容している筐体２３が、マウスピース１に対して移動可能になっている。また、発光部２１から照射される励起光は、被験者の歯のひとつずつ、もしくは複数本ずつに照射されるようになっている。
【００２８】
筐体２３に繋がる集合ケーブル７の一端は、筐体２３と同じく樹脂製の筒状部材２４に被覆されている。筒状部材２４は、一端が筐体２３に接続されており、中央部が鈎形に折れ曲がった形状をなしている。筒状部材２４は、カバー部１２に歯の並びに沿って円弧をなすように形成されたスリット１２ａに通されている。スリット１２ａを形成する上下の面には、スリット１２ａの長手方向に沿う溝１２ｂが形成される一方、スリット１２ａに通される筒状部材２４には、溝１２ｂに嵌め合わされる突起２４ａが形成されており、筒状部材２４をスリット１２ａの長手方向に動かすと、発光部２１および受光部２２を収納した筐体２３は、突起２４ａが溝１２ｂに沿って案内されることによって歯の並び方向に移動するようになっている。筒状部材２４の他端には、筒状部材２４を動かす際に手でつかむ取っ手２４ｂが設けられている。カバー部１２には、スリット１２ａを通じて空間１３に外部の光が差し込まないようにゴム製のシールド２５が取り付けられている。
【００２９】
カバー部１２の外面には、歯の並びに準じる目盛り１２ｂが、スリット１２ａに沿って設けられている。成人の場合、歯の数は上顎、下顎ともに１２本ずつなので、スリット１２ａの上または下に１２個の目盛り１２ｂが記されており、ある目盛り１２ｂに筒状部材２４を配置すると、発光部２１および受光部２２を収納した筐体２３が、その目盛り１２ｂに対応する歯に正対するようになっている。
【００３０】
識別装置本体３は、所定の長さの波長の励起光を発する光源３１と、光源３１が発した励起光を集束させるレンズ３２とを備えている。また、識別装置本体３は、ＣＣＤ２２ｃが出力した電気信号を処理して映像化しモニタ４に表示させる映像化処理部３３を備えている。
【００３１】
上記のように構成された識別装置は次のようにして使用される。
まず、マウスピース１の挿入部１１を、被験者の口角を左右に押し広げるようにして口腔に挿入し、カバー部１２を唇の上下に突き当てるようにしたうえで、被験者に挿入部１１を銜えさせる。
【００３２】
上記のようにして検査を行う準備が整ったら、光源３１を駆動させる。光源３１が駆動すると、所定の長さの波長の励起光がライトガイド５を通じて発光部２１に導かれ、被験者の個々の歯に向けて照射される。そこで、励起光の照射を継続しながら、筒状部材２４をスリット１２ａに沿って操作し、筐体２３に収容されている蛍光撮像ユニット２を歯の列びに沿って走査させる。
【００３３】
蛍光撮像ユニット２を走査する過程で、修復歯に励起光が照射されると、その歯から発せられる蛍光を、所定の波長域の光を透過するフィルタ２２ａを透過して受光部２２が受光する。受光部２２では、ＣＣＤ２２ｃが受光された蛍光の発光強度に応じた電気信号を出力する。ＣＣＤ２２ｃが出力した電気信号は信号ケーブル６を介して映像化処理部３３に伝達される。映像化処理部３３では、ＣＣＤ２２ｃが出力した電気信号が処理され、励起光を照射された歯がモニタ４に映像として次々に表示される。術者は、モニタ４に表示された映像から、被験者の歯がどのような修復状態にあるかを確認する。その際、修復歯の位置が解り難ければ、カバー部１２に記された目盛りを参照する。
【００３４】
上記のように構成された識別装置によれば、マウスピース１が被験者の口全体を覆い、口腔内部に外部から光がほとんど届かない状態となっているので、発光強度が微弱であってもノイズ（外部からの光）に邪魔されない。これにより、モニタ４に表示される映像がより明確になり、天然歯か修復歯かを判別する際の確度が高まる。
【００３５】
また、受光部２２を含めた蛍光撮像ユニット２を歯の並び方向に沿って移動させることにより、すべての歯を等しく受光の対象として捉えることが可能になり、すべての歯を個別に詳細に観察することができ、修復部がどのような状態であるかまで把握することができる。
【００３６】
口用被覆部材に、歯の並びに準じる目盛りを設けることにより、判別対象となっている歯の特定をさらに行い易くすることができる。
【００３７】
本実施形態においても、マウスピース１のうち、口角を左右に押し広げるようにして口腔に挿入される筒状の挿入部１１を交換可能とし、その挿入部１１を被験者がかわるごとに清潔なものと交換すれば、検査を衛生的に実施することができる。
【００３８】
ところで、本実施形態においてはマウスピース１の材質を特定していないが、マウスピース１を、歯から発せられる蛍光の少なくとも一部を透過させず、所定の長さ以下の波長の光を透過させる材質で製作することが好ましい。被験者の口はマウスピース１ですべて覆われてしまうので、蛍光の受光に影響を与えない波長帯の光を、マウスピース１を透過して外部から確認できるようにすれば、判別の対象となっている歯の特定を、さらに容易に行うことができる。
【００３９】
［第３の実施形態］
本発明の第３の実施形態を図４から図６に示して説明する。
本実施形態の修復歯の識別装置は、被験者の歯を覆うシールドユニット４１と、歯に向けて励起光を照射しその歯から発せられる蛍光を受光する蛍光撮像ユニット４２と、蛍光を受光した撮像素子（後述するＰＭＴ（フォトマルチプライヤーチューブ））が出力した電気信号を処理して映像化する蛍光識別装置本体４３と、映像を表示するモニタ４４とを備えている。シールドユニット４１は、筒状をなす樹脂製の筐体４２ａに収められた蛍光撮像ユニット４２の先端に取り付けられており、先端にシールドユニット４１を取り付けられた蛍光撮像ユニット４２はペン形の操作部４５を構成している。蛍光撮像ユニット４２と識別装置本体４３とは、光ファイバ製のライトガイド４６ｂ，単一の光ファイバ４６ａおよび信号ケーブル４７を束ねた集合ケーブル４８を介して接続されており、識別装置本体４３とモニタ４４とは、信号ケーブル４９を介して接続されている。
【００４０】
シールドユニット４１は、断面が歯ひとつ分ほどの大きさに形成された筒状のスライド部材５０と、筐体４２ａの先端に取り付けられてスライド部材５０を内側に挿入可能なカバー部５１とを備えている。スライド部材５０の先端には、歯や歯茎に押し当てられたときに歯茎を傷つけないように柔軟な素材で作られたシールド部材５２が設けられている。カバー部５１の内側には、スライド部材５０を押し出す方向に付勢するバネ５３が設けられている。スライド部材５０はカバー部５１から取り外し可能であり、単体で洗浄することが可能である。
【００４１】
カバー部５１の内側には、後述する発光部６０を必要に応じて遮蔽する遮光部５４が設けられている。遮光部５４は、発光部６０を遮蔽する位置と発光部６０の前から退避した位置との間を回動可能に支持された遮蔽板５５と、遮蔽板５５を支持する軸５５ａに固定されたピニオン５６と、スライド部材５０の内側に取り付けられてピニオン５６に噛み合うラック５７とから構成されている。遮光板５５は、通常は発光部６０を遮蔽する位置にあり、スライド部材５０がカバー部５１の内側に押し込まれたときに発光部６０の前から退避するようになっている。
【００４２】
蛍光撮像ユニット４２は、励起光を歯に照射する発光部６０と、励起光を走査する２次元光スキャナ６１と、励起光が歯に照射されたときにその歯から発せられる蛍光をスライド部材５０の内部で受光する受光部６２とを備えている。発光部６０、２次元光スキャナ６１および受光部６２は樹脂製の筐体４２ａの中に収容され、唾液や吐息が入り込まないように密閉されている。
【００４３】
発光部６０は、ライトガイド４６ａを通じて光源から導かれた励起光を透過するフィルタ６０ａと、フィルタ２２ａを透過した励起光を集束させるレンズ６０ｂと、レンズ６０ａによって集束された励起光を反射させるミラー６０ｃと、励起光を透過するカバーガラス６０ｄとを備えている。カバーガラス６０ｄは筐体４２ａの一部を構成している。
【００４４】
２次元光スキャナ６１は、ミラー６０ｃによって反射された励起光の入射方向に対して角度を変更可能に支持されたミラー６１ａと、ミラー６１ａを駆動し角度を変更する電磁駆動用マグネット６１ｂとを備えている。
【００４５】
受光部６２は、励起光をカットし所定の波長域の蛍光のみを透過するフィルタ６２ａと、フィルタ６２ａを透過した蛍光を集束させるレンズ６２ｂとを備えている。発光部６０と同様に、フィルタ６２ａも筐体４２ａの一部を構成している。レンズ６２ｂによって集光されたへ蛍光は、ライトガイド４６ｂを通じて識別装置本体３に導かれるようになっている。
【００４６】
識別装置本体４３は、所定の長さの波長の励起光を発する光源６３と、光源６３が発した励起光を集束させるレンズ６４とを備えている。また、識別装置本体３は、ライトガイド４６ｂを通じて導かれた蛍光を検出しその発光強度に応じた電気信号を出力するＰＭＴ６５と、ＰＭＴ６５が出力した電気信号を処理して映像化しモニタ４４に表示させる映像化処理部６６と、ＰＭＴ６５が出力した電気信号を映像化処理部６６に伝達する信号経路６７ａと、ミラー６１ａの角度を制御するスキャナドライバ６８とを備えている。
【００４７】
上記のように構成された識別装置は次のようにして使用される。
まず、被験者に口を開かせ、スライド部材５０の先端を、被験者の歯のひとつを覆い隠すようにして押し当てる。歯や周囲の歯茎に押し当てられたシールド部材５２は歯や歯茎の形状に合わせるように変形し、外部からの光が入り込まないようにスライド部材５０の内側を遮蔽する。また、歯や歯茎に押し当てられたスライド部材５０はカバー部５１の内側に没入し、その過程でラック５７が移動してピニオン５６が回転し、遮蔽板５５が発光部６０の前から退避する。
【００４８】
本実施形態の識別装置の場合、光源６３は当初より駆動されており、遮蔽板５５が開かれると、ライトガイド４６ａを通じて発光部６０に導かれた励起光が、スライド部材５０に覆われた歯に照射される。遮蔽板５５が開かれると、２次元光スキャナ６１がミラー６１ａを駆動して励起光を走査させる。
【００４９】
励起光を走査する過程で、歯の修復部分に励起光が照射されると、その修復部分から発せられる蛍光を受光部６２が受光する。受光された蛍光はライトガイド４６ｂを通じてＰＭＴ６５に導かれ、ＰＭＴ６５が受光された蛍光の発光強度に応じた電気信号を出力する。ＰＭＴ６５が出力した電気信号は映像化処理部３３に伝達される。映像化処理部３３では、ＰＭＴ２２ｃが出力した電気信号が、スキャナドライバ６８の制御信号に同期させて処理され、モニタ４に映像として表示される。術者は、モニタ４に表示された映像から、検査対象の歯がどのような修復状態にあるかを確認する。
【００５０】
検査が終了したら、操作部４５の先端部分つまりシールドユニット４１の部分を容器７０に入れた洗浄液７１に浸して洗浄する。
【００５１】
上記のように構成された識別装置によれば、スライド部材５０がマウスピース１が検査対象の歯全体を覆い、スライド部材５０の内側に外部から光がほとんど届かない状態となっているので、発光強度が微弱であってもノイズ（外部からの光）に邪魔されない。これにより、モニタ４４に表示される映像がより明確になり、天然歯か修復歯かを判別する際の確度が高まる。
【００５２】
スライド部材５０をカバー部５１から取り外し可能とし、スライド部材５０を被験者がかわるごとに清潔なものと交換すれば、検査を衛生的に実施することができる。
【００５３】
ところで、本実施形態においてはＰＭＴ６５が出力した電気信号が処理され、モニタ４に映像として表示するようにしたが、受光部６２に受光された蛍光の波長の長さに基づき、その蛍光を発した歯が修復歯であるか否かを判別する判別部を設けると、修復歯の有無を、人の判断に頼らず自動的に行うことができる。
【図面の簡単な説明】
【００５４】
【図１】本発明の第１の実施形態を示す図であって、修復歯の識別装置の各部の構造を示す断面図である。
【図２】本発明の第２の実施形態を示す図であって、修復歯の識別装置の各部の構造を示す断面図である。
【図３】マウスピースの外見を示す図である。
【図４】本発明の第３の実施形態を示す図であって、修復歯の識別装置の概要を示す図である。
【図５】修復歯の識別装置の各部の構造を示す断面図である。
【図６】操作部を洗浄する際の状況を示す図である。
【符号の説明】
【００５５】
１      マウスピース（口用被覆部材）
２      蛍光撮像ユニット
３      識別装置本体
２１    発光部
２２    受光部
２２ｃ  ＣＣＤ
３１    光源
３３    映像化処理部
【図１】
2005118420.tif 000003
【図２】
2005118420.tif 000004
【図３】
2005118420.tif 000005
【図４】
2005118420.tif 000006
【図５】
2005118420.tif 000007
【図６】
2005118420.tif 000008